(57)【要約】【課題】飼い主とペットの双方の負担を軽減することができるペット用着衣の提供を課題とする。【解決手段】ペットの左右の脚をレッグホール１９、４１に通した状態で着用させることができる着衣本体（ベスト本体１１、パンツ本体３１）と、着衣本体１１、３１を着用させた状態で人がペットの背中側から持ち上げることができるようにした持ち手（左右の持ち手１４、前持ち手３５、後持ち手３６）とを備える。着衣本体１１、３１は、持ち手１４、３５、３６の基部１５、３７から腹側にかけて配置された芯地１６、３８を備える。芯地１６、３８は、ペットの胴体からの荷重を持ち手１４、３５、３６に伝達するように構成されている。【選択図】図１
0003208757.tif 000002
【実用新案登録請求の範囲】
【請求項１】
四足歩行のペットに対して着用させるペット用着衣において、
着用状態で前記ペットの左右の脚をレッグホールに通した状態で、前記ペットの胴体に着用させることができる着衣本体と、
前記着衣本体を着用させた状態で人が持つための持ち手とを備え、
前記持ち手は、前記着衣本体を着用させた状態で人が前記ペットの背中側から持ち上げることができるように構成され、
前記着衣本体は、前記持ち手の基部から前記着衣本体の腹側にかけて配置された芯地を備え、
前記芯地は、前記胴体からの荷重を持ち手に伝達するように構成されたことを特徴とするペット用着衣。
【請求項２】
前記芯地は、前記持ち手の基部から左右の脚の前後両側を経て腹側に達するものであり、前記ペットの前記胴体の腹側を左右の脚の前後両側から上方に吊り上げることができる構造を備えたことを特徴とする請求項１に記載のペット用着衣。
【請求項３】
前記着衣本体は、褥瘡対策用のクッション材を備えたことを特徴とする請求項１又は２に記載のペット用着衣。
【請求項４】
前記着衣本体は、前記ペットの前脚を含む前半身を覆うベストであり、
前記着衣本体は、前記ペットの腹側を覆う腹身頃と、前記ペットの背側を覆う左右の背身頃とを備え、背中側から展開可能に構成され、
前記レッグホールは、前記ペットの前脚を挿通可能に前記着衣に設けられた開口であり、
前記持ち手は、左右の背身頃のそれぞれに取り付けられた左右の持ち手を備え、
前記左右の持ち手のそれぞれは、前後に基部を備え前後方向に渡されたものであり、
前記芯地は、前記腹側の前レッグホールよりも腹側から前記左右の持ち手のそれぞれの前記前後の基部のそれぞれにかけて配置されていることを特徴とする請求項１〜３の何れかに記載のペット用着衣。
【請求項５】
前記着衣本体は、前記ペットの後脚を含む後半身を覆うパンツであり、
前記着衣本体は、前記ペットの腹側を覆う腹身頃と、前記ペットの背側であって前記後脚よりも腹側を覆う左右の背身頃と、前記ペットの背側であって前記後脚よりも後側を覆う左右の尻身頃とを備え、背中側から展開可能に構成され、
前記レッグホールは、前記ペットの後脚を挿通可能に前記前後の背身頃の間に設けられた開口であり、前記前後の背身頃同士を着脱可能に接続することにより、閉じた開口を構成するものであり、
前記持ち手は、前記背身頃に着脱可能に取り付けられた前持ち手と、前記尻身頃に着脱可能に取り付けられた後持ち手とを備え、
前記前持ち手と前記後持ち手のそれぞれは、左右に基部を備え左右方向に渡されたものであり、
前記芯地は、前記腹側の後レッグホールよりも腹側から前記前持ち手と前記後持ち手のそれぞれの前記左右の基部のそれぞれにかけて配置されていることを特徴とする請求項１〜３の何れかに記載のペット用着衣。
【請求項６】
抗菌防臭素材を内面に備え、前記着衣本体の内側にオムツを配置してオムツカバーとして着用することができるように構成されたことを特徴とする請求項５に記載のペット用着衣。
【考案の詳細な説明】
【技術分野】
【０００１】
本考案は、ペット用着衣の改良に関する。
【背景技術】
【０００２】
今日、犬や猫などのペットは多くの飼い主から愛情を注がれ、老年になっても大切にされている。老化や疾病等が原因で歩行や寝返りが困難になったペットに対しも多くの飼い主は十分な介助を施すことを希望している。
【０００３】
介助の必要度は個々のペットによって様々であるが、例えば下記の４段階に分けることができる。
（Ａ）は、自立歩行は出来るがヨロヨロとしてきて転び易くなった状態。
（Ｂ）は、ペットが横になった状態から人が補助して立たせると、自立して歩行できる状態。
（Ｃ）は、人が補助しても、後脚が踏ん張れずに、歩けない状態。
（Ｄ）は、前脚と後脚が踏ん張れずに、人が補助しても、自立できない状態。
（Ｃ）や（Ｄ）の状態となると、いわゆる寝たきりの状態となり、褥瘡が生じるおそれもあり、飼い主は、上記の段階のそれぞれに応じて、ペットの胴体に手を添えるなどして、立たせたり寝返りをさせたりして介助する必要が生じる。
【０００４】
ところが、中型犬以上となるとかなりの体重があると共にペットの筋力が衰えてペット自身による力を期待することができなくなるため、胴体を持ち上げて立たせたり寝返りさせたりすることが困難となる。具体的には、ペットを立たせたり抱き上げたりするには、横になっている胴体の下から腹側に手を差し込んで起こす必要があるが、大型犬では手を差し込むこと自体が困難であり、十分に手を差し込めない状態で不用意に抱き起こしたり持ち上げたりすると、胴体の全体にバランスよく加えることができず、無用な力を必要とすると共に、局部的にペットに力が加わり、ペットにも苦痛を与えるおそれがある。特に、褥瘡が生じてしまっていたり褥瘡とまでは言えずとも肌が弱っているペットの胴の下に手を差し込んだり、持ち上げたりすることは、飼い主にとってもペットにとっても大きな負担となる。
【０００５】
他方、ペット用の着衣に心材を用いることが、特許文献１には開示されている。この特許文献１の着衣は、その段落００２２にも記載されているように、左右方向心材によって、連結具から連結側アンカー紐材が受ける負荷や引き回し力を左右方向心材と分担し合い、かつ胴衣体のより広域に、より無理なく伝達でき、前後方向心材によって、連結具から胴衣体の後方側に及ぶことの多い引き紐類との間の負荷や引き回し力によって、胴衣体がアンカー紐材と前端縁との間で伸びて疲労したり、動物への動き規制が甘くなるのを防止することができるようにしたものである。従って特許文献１にあっては、健康的に歩いたり走ったりすることができるペットをリードで繋ぐために用いるものを提案するものであり、横になっているペットを抱き上げたり立たせたりする際に生じる飼い主とペットの双方の負担を軽減することを目的としたものではなく、人が持ち上げるための持ち手を備えたものでもなく、さらに心材が腹側にまで達するものでもない。
【先行技術文献】
【特許文献】
【０００６】
【特許文献１】特許第５５３０７０６号公報
【考案の概要】
【考案が解決しようとする課題】
【０００７】
本考案は、飼い主とペットの双方の負担を軽減することができるペット用着衣の提供を課題とする。
【課題を解決するための手段】
【０００８】
本考案は、四足歩行のペットに対して着用させるペット用着衣を提供するもので、このペット用着衣は、着用状態で前記ペットの左右の脚をレッグホールに通した状態で、前記ペットの胴体に着用させることができる着衣本体と、前記着衣本体を着用させた状態で人が持つための持ち手とを備える。前記持ち手は、前記着衣本体を着用させた状態で人が前記ペットの背中側から持ち上げることができるように構成されており、前記着衣本体は、前記持ち手の基部から前記着衣本体の腹側にかけて配置された芯地を備え、前記芯地は、前記胴体からの荷重を持ち手に伝達するように構成されたペット用着衣を提供する。
【０００９】
本考案に係るペット用着衣は、人が持ち手を掴んで、ペットを背中側から持ち上げることができる。そのため、ペットが横たわっている場合でも、人がペットの胴体の下に手を差し込まずとも、ペットを起こしたり持ち上げたりすることがきる。その際、着衣本体の芯地は、前記持ち手の基部から前記着衣本体の腹側にかけて配置され、前記芯地は、胴体からの荷重を持ち手に伝達するように構成されているため、背中側の持ち手からの力をペットの胴体の腹側にまで分散させて伝達することがき、良好な状態でペットに力を加えることができ、人とペットとの双方の負担軽減に効果がある。
【００１０】
なお、本考案においては、特に説明を加えない限り、ペットの頭側を「前」として、尻側を「後」として表現する。また、ペットの尻から背骨の側を「背」又は「背中」として、胸から腹の側を「腹」として表現する。
前記芯地は、前記持ち手の基部から左右の脚の前後両側を経て腹側に達するものであり、前記ペットの前記胴体の腹側を左右の脚の前後両側から上方に吊り上げることができる構造を備えたものとすることができる。これにより、ペットを単に引っ張り上げるのではなく、左右の脚の前後両側から腹側にかけて力を分散させながら、持ち手で吊り上げることができる。
【００１１】
前記衣服本体は、褥瘡対策用のクッション材を備えたものとして実施するとことも望ましい。
また、本考案に係るペット用着衣は、ペットの前脚を含む前半身を覆うベストとして実施することもできるし、ペットの後脚を含む後半身を覆うパンツとして実施することもできる。また、前脚と後脚との合計４本の脚を含む胴体全体を覆う着衣として実施することもできるものであり、その際、ベスト部とパンツ部とを分離可能又は分離不能に接続したものであってもよく、ベスト部とパンツ部とが区別されずに連続したものであってもかまわない。
【００１２】
ベストとし実施する場合、種々の形態を採ることができるが、例えば、前記着衣本体は、前記ペットの腹側を覆う腹身頃と、前記ペットの背側を覆う左右の背身頃とを備え、背中側から展開可能に構成されたものとすることができる。そして、前記レッグホールは、前記ペットの前脚を挿通可能に前記着衣に設けられた開口であり、前記持ち手は、左右の背身頃のそれぞれに取り付けられた左右の持ち手を備え、前記左右の持ち手のそれぞれは、前後に基部を備え前後方向に渡されたものであり、前記芯地は、前記腹側の前レッグホールよりも腹側から前記左右の持ち手のそれぞれの前記前後の基部のそれぞれにかけて配置されているものとすることができる。
これにより、腹側を含む前脚側の胴体の全体を包み込むように支えることができ、単に、持ち手で引っ張るのではなく、前脚の前後両側から前脚側の胴体を吊り上げる構造を実現することができる。
【００１３】
パンツとし実施する場合も、種々の形態を採ることができるが、例えば、前記着衣本体は、前記ペットの腹側を覆う腹身頃と、前記ペットの背側であって前記後脚よりも腹側を覆う左右の背身頃と、前記ペットの背側であって前記後脚よりも後側を覆う左右の尻身頃とを備え、背中側から展開可能に構成されたものとすることができる。
【００１４】
前記レッグホールは、前記ペットの後脚を挿通可能に前記前後の背身頃の間に設けられた開口であり、前記前後の背身頃同士を着脱可能に接続することにより、閉じた開口を構成するものとすることにより、ペットへの着用を容易なものとすることができる。前記持ち手は、前記前後の背身頃のそれぞれに着脱可能に取り付けられた前後の持ち手を備え、前記前後の持ち手のそれぞれは、左右に基部を備え左右方向に渡されたものであり、前記芯地は、前記腹側の後レッグホールよりも腹側から前記前後の持ち手のそれぞれの前記左右の基部のそれぞれにかけて配置されているものとすることができる。
【００１５】
これにより、腹側を含む後脚側の胴体の全体を包み込むように支えることができ、単に、持ち手で引っ張るのではなく、前脚の前後両側から後脚側の胴体を吊り上げる構造を実現することができる。
さらに、抗菌防臭素材を内面に備え、前記着衣本体の内側にオムツを配置してオムツカバーとして着用することができるようにすることも好ましい。
【考案の効果】
【００１６】
本考案は、飼い主とペットの双方の負担を軽減することができるペット用着衣を提供することができたものである。
本考案に係るペット用着衣は、いずれの体調のペットにも着用させることができるが、介助を要するペットに着用させることによって、特に優れた効果を発揮する。
【図面の簡単な説明】
【００１７】
【図１】（Ａ）本発明の実施の形態に係るペット用着衣の斜視図、（Ｂ）同ペット用着衣の持ち手の説明図。
【図２】（Ａ）同ペット用着衣の使用状態の説明図、（Ｂ）同ペット用着衣の使用状態における荷重の説明図。
【図３】（Ａ）同ペット用着衣のベストの展開図、（Ｂ）同ベストの展開状態におけるクッション材と芯地の説明図。
【図４】（Ａ）及び（Ｂ）は同ベストの着用状態の説明図。
【図５】（Ａ）同ペット用着衣の接続部材の接続作業中の斜視図、（Ｂ）同接続部材のの接続完了状態の斜視図。
【図６】（Ａ）同ペット用着衣のパンツの表側からの展開図、（Ｂ）同パンツの裏側からの展開図、（Ｃ）同パンツの表側からの展開状態における芯地の説明図。
【図７】同パンツの斜視図。
【図８】同パンツの着用作業中の後方からの斜視図。
【考案を実施するための形態】
【００１８】
図面に基づき本考案の実施の形態について説明する。
【００１９】
（２種類の実施の形態）
図１に示す実施の形態にかかるペット用着衣は、犬や猫などの四足歩行のペットに対して着用させるのに適するもので、特に自立や歩行が困難になりつつある、あるいは困難になってしまった介護を要するペットに対して着用させるのに適するものである。
【００２０】
図１に示すペット用着衣は、ペットの前半身に対して着用させるベスト１０と、後半身に対して着用させるパンツ３０として実施されているもので、ベスト１０とパンツ３０は別々に製造販売して別々に着用させることもできるし、セットとして販売することもできる。またベスト１０とパンツ３０を着脱可能または着脱不能に連続した一体の製品として製造することもできる。
ベスト１０とパンツ３０とには、それぞれの本体（ベスト本体１１及びパンツ本体３１）に対して持ち手（左右の持ち手１４、前持ち手３５及び後持ち手３６）が設けられている。持ち手の基部１５、３７は、図１（Ａ）に示すように本体（ベスト本体１１及びパンツ本体３１）に対して縫着などで着脱不能に固定したものであってもよいが、図１（Ｂ）に示すように面ファスナやホックなどの着脱可能な固定手段によって取り外しできるように固定するものであってもよい。いずれの場合にも、着衣本体（ベスト本体１１及びパンツ本体３１）に対して持ち手（左右の持ち手１４、前持ち手３５及び後持ち手３６）が固定される箇所、言い換えればペットの荷重が本体から持ち手に伝わる箇所を、持ち手の基部１５、３７とする。その一つの具体例を図１（Ｂ）を参照して説明すると、持ち手（左右の持ち手１４、前持ち手３５及び後持ち手３６）の長手方向に面ファスナ７１を設ける一方、基部１５、３７を帯状として、その両端を着衣本体に逢着などで固定する。この基部１５、３７に対して、持ち手１４、３５、３６を通してループ状に折り返して、面ファスナ７１同士を接合させる。さらに、持ち手の端に係止具付きのベルト７２を設けて、二重になった持ち手１４、３５、３６にベルト７２を巻き付けるようにしてもよい。この例では、ベルトは着脱可能であると共に長さ調整も可能となり、特に、長い持ち手となるパンツ本体３０の前持ち手３５及び後持ち手３６に採用することが有利である。
【００２１】
（ベスト１０としての実施の形態）
ベスト１０としての実施の形態を、図１〜図５を参照して説明する。
このベスト１０は、ベスト本体１１と、これに取り付けられた左右の持ち手１４とを備える。
ベスト本体１１は、着用状態でペットの左右の前脚を、左右の前レッグホール１９に通した状態で、ペットの胴体に着用させることができるものであり、布製や合成樹脂製などの一般的な着衣用の素材から表地と裏地の２枚のシートから全体が構成されているが、１枚のシートで構成してもよく、３枚以上のシートを用いてもかまわない。
左右の持ち手１４は、ベスト本体１１を着用させた状態で人が背中側から掴んで上方に持ち上げることができるもので、一般的な持ち手と同様の構成を備える。
【００２２】
（ベスト本体１１の概要）
ベスト本体１１は、ペットの胴体の腹側を覆う腹身頃１２と、展開状態において腹身頃１２の左右に伸びる左右の背身頃１３とを備えている。このベスト本体１１は、背中開きの形態をなし、背身頃１３同士が、接続部材５１によって互いに着脱可能に接続されることによって、着用状態となるものである。
【００２３】
腹身頃１２と左右の背身頃１３の間に左右の前レッグホール１９が形成されており、着用に際しては、展開状態のベスト本体１１を胴体の腹側から着用させるもので、前レッグホール１９に前脚を通して、左右の背身頃１３を背中側に回して、左右の接続部材５１を接続するものである。なお、図３の展開図では、完全な平面状態で描いているが、ペットの身体に適合する形態に立体裁断して縫製することも好ましい。
【００２４】
（左右の持ち手１４）
左右の持ち手１４は、それぞれ前後に伸びるもので、前後両端の基部１５がベスト本体１１に固定されている。その固定位置は、腹身頃１２が適当であるが、背身頃１３であってもかまわないし、腹身頃１２から背身頃１３にかけて固定するものであってもかまわない。いずれの場合にあっても、左右の持ち手１４は、ベスト本体１１を着用させた状態で人がペットの背中側から持ち上げることができるように構成するものであればよく、前後ではなく左右に渡されるものであってもかまわない。
【００２５】
（芯地１６）
ベスト本体１１の内部（具体的には表地と裏地の間）に、芯地１６が配置されている。この芯地１６は、左右の持ち手１４の基部１５からベスト本体１１の腹側にかけて配置されているもので、ペットの胴体からの荷重を分散させて左右の持ち手１４に伝達するものである。
【００２６】
芯地１６の材質は、織物地、編地、不織布、合成樹脂製シートやこれらの複合材料などを用いることができるが、着用時にペットに苦痛を与えないように適度の柔軟性を備え、荷重を受けることができる程度の強度と非伸縮性とを備えたものであることが適当である。例えば、人が着用する上着の芯地を転用することもできるが、衣料用の芯地としては流通していない素材を用いることも可能である。
【００２７】
芯地１６を配置する箇所は、左右の持ち手１４の前後の基部１５から、前レッグホール１９の前後を経て、腹側に及ぶ範囲とすることが適当である。具体的には、芯地１６は、ペットの胴体の腹側に配置される腹側部分１７と、腹側部分１７の前後から伸びる左右の背側部分１８とを備える。前側の背側部分１８は、腹側部分１７の前側から、前脚の前側を経て、左右の持ち手１４の前側の基部１５に到達する。後側の背側部分１８は、腹側部分１７の後側から、前脚の後側を経て、左右の持ち手１４の後側の基部１５に到達する。
【００２８】
腹側部分１７は、前レッグホール１９の前後を経た部分が、前後に連続していることが適当である。また、左腹の部分と右腹の部分とは連続していることが適当である。さらに、前後の背側部分１８同士を連続させてもかまわない。ただし、荷重を分散して基部１５に伝達することができるものであれば、芯地１６は複数に分割されたものであってもかまわないし、分割されている場合、それぞれのピース間にすき間があってもかまわないし、なくてもかまわない。また、芯地１６はベスト本体１１の全体に配置することもできるし、一部分にのみ配置してもかまわない。
【００２９】
（褥瘡対策）
上述のように芯地１６を用いた場合にあっても、褥瘡対策をさらに施しておくことが好ましい。具体的には、図３（Ｂ）、図４（Ｂ）に示すように、褥瘡の生じやすい肩部分（ベスト本体１１の胸から前レッグホール１９の前側にかけての部分）に、クッション材２０を配置しておくことができる。クッション材２０の材質としては、ベスト本体１１の表地や裏地よりも弾性の高い発泡素材やワタ状素材や人の褥瘡防止対策に用いられるクッション素材を採用することができる。
【００３０】
（接続部材）
接続部材５１は、左右の背身頃１３同士を接続するものであればよいが、ペットの大きさに合わせて調整できるように長さの調整機能を有するものであることが有利である。ただし、接続部材５１に長さの調整機能がない場合にあっても、身頃などの他の部分に調整手段を用いることも可能であり、接続部材５１における長さの調整機能は必須の機能ではない。
【００３１】
図５に示すように、この実施の形態では、一方の背身頃１３に、面ファスナを備えた挿通テープ５２を取り付け、他方の背身頃１３に、先端にバックル５４を備えた基部テープ５３を取り付けたものとして実施されている。バックル５４は、二つの開口を備えた日の字状をなしており、一方の開口に基部テープ５３の先端が通されて固定されているもので、背身頃１３同士の接続に際して、バックル５４の他方の開口に挿通テープ５２を通して折り返してループ状とした状態で、面ファスナで着脱可能に固定するものである。ただし、接続部材５１の形態は種々変更して実施することができるものであり、合成樹脂製等の嵌合式の接続具や、ボタンとボタンホール、スライドファスナ、面ファスナなど、種々の接続部材を用いることができる。また接続状態で、左右の背身頃１３同士の間に間隔が開くものであってもかまわないし、背身頃１３同士が重なるものであってもかまわない。
【００３２】
（パンツとしての実施の形態）
次に、図１、図６〜図８を参照して、パンツ３０としての実施の形態を説明する。
このパンツ３０は、着用状態でペットの左右の後脚を、左右の後レッグホール４１に通した状態で、ペットの胴体に着用させることができるパンツ本体３１と、パンツ本体３１を着用させた状態で人が背中側から掴んで上方に持ち上げることができる前持ち手３５及び後持ち手３６とを備え、ベスト１０と同様の素材で構成することができる。
【００３３】
（パンツ本体の概要）
パンツ本体３１は、背中開きの形態をなし、ペットの胴体の腹側を覆う腹身頃３２と、展開状態において腹身頃３２の前側で左右に伸びる左右の背身頃３３と、腹身頃３２の後側で左右に伸びる左右の尻身頃３４とを備えている。背身頃３３はペットの尻尾よりも前側を中心にその背中側を覆うもので、尻身頃３４はペットの臀部側を覆うものである。
【００３４】
背身頃３３と尻身頃３４とが、ヒップ接続部材６１にて着脱可能に接続されることにより、左右両側の後レッグホール４１と、後側のテールホール４２とが形成される。後レッグホール４１は、二股状に分かれた左右の尻身頃３４の下側辺と、左右の腹身頃３２とのそれぞれの間に形成される左右の開口であり、左右の後脚が通される部分となる。後レッグホール４１は、二股状の左右の尻身頃３４の上側辺と、左右の背身頃３３との間に形成される中央の開口であり、ペットの尻尾が通される部分となる。
【００３５】
着用に際しては、展開状態のパンツ本体３１を胴体の腹側から着用させるもので、左右の背身頃３３を背中側に回して左右の接続部材５１を接続し、背身頃３３と尻身頃３４との間に後脚を配置した状態でヒップ接続部材６１（図６（Ａ）（Ｂ）参照）にて接続するものである。なお、図６の展開図では、完全な平面状態で描いているが、立体裁断とすることも好ましい。
【００３６】
（前持ち手及び後持ち手）
前持ち手３５及び後持ち手３６は、それぞれ左右に伸びるもので、左右両端の基部３７がパンツ本体３１に固定されている。詳しくは、前持ち手３５の左右の基部３７は腹身頃３２に固定され、後持ち手３６の左右の基部３７は尻身頃３４に固定されているもので、その詳細な固定構造は前述の図１（Ｂ）に関する説明の通りである。
【００３７】
なお、基部３７の固定位置は、上記の他、背身頃３３であってもかまわないし、背身頃３３から腹身頃３２や尻身頃３４にかけて固定するものであってもかまわない。いずれの場合にあっても、前持ち手３５及び後持ち手３６は、パンツ本体３１を着用させた状態で人がペットの背中側から持ち上げることができるように構成するものであればよく、左右ではなく前後に渡されるものであってもかまわない。
【００３８】
（芯地）
図６（Ｃ）に示すように、パンツ本体３１の内部（具体的には表地と裏地の間）に、芯地３８が配置されている。この芯地３８は、前持ち手３５及び後持ち手３６の基部３７からパンツ本体３１の腹側にかけて配置されているもので、ペットの胴体からの荷重を前持ち手３５及び後持ち手３６に伝達するものである。
【００３９】
この実施の形態では、芯地３８は、ペットの胴体の腹側に配置される腹側部分３９と、腹側部分３９の前後から伸びる左右の背側部分４０とを備える。前側の背側部分４０は、腹側部分３９の前側から、後脚の前側を経て、前持ち手３５の基部３７に到達する。後側の背側部分４０は、腹側部分３９の後側から、後脚の後側を経て、後持ち手３６の基部３７に到達する。
芯地３８の材質は、先に説明したベスト１０の芯地１６と同様のものを採用することができる。
【００４０】
このように、芯地３８は、前持ち手３５及び後持ち手３６の前後の基部３７から、後レッグホール４１の前後を経て、腹側に及ぶ範囲とすることが適当である。腹側部分３９は、後レッグホール４１の前後を経た部分が、前後に連続していることが適当である。また、左腹の部分と右腹の部分とは連続していることが適当である。ただし、荷重を分散して基部３７に伝達することができるものであれば、芯地３８は複数に分割されたものであってもかまわないし、分割されている場合、それぞれのピース間にすき間があってもかまわないし、なくてもかまわない。また、芯地３８はパンツ本体３１の全体に配置することもできるし、一部分にのみ配置してもかまわない。
【００４１】
（褥瘡対策）
また、図示は省略するが、パンツ３０にあってもベスト１０の場合と同様に、クッション材などを適宜配置することによって、褥瘡対策を施しておくこともできる。
【００４２】
（接続部材）
接続部材５１は、左右の背身頃３３同士を接続するものであればよく、ペットの大きさに合わせて調整できるように長さの調整機能を有するものであることが有利である。
この実施の形態では、図５に示したベスト１０の場合と同様、一方の背身頃３３に、面ファスナを備えた挿通テープ５２を取り付け、他方の背身頃３３に、先端にバックル５４を備えた基部テープ５３を取り付けたものとして実施されているもので、接続部材５１の形態は種々変更して実施することができる点も先の例と同様である。
【００４３】
（ヒップ接続部材）
ヒップ接続部材６１は、左右の背身頃３３と、左右の尻身頃３４とを、それぞれ接続するものであればよいが、ペットの大きさに合わせて調整できるように長さの調整機能を有するものであることが有利である。ただし、ヒップ接続部材６１に長さの調整機能がない場合にあっても、身頃などの他の部分に調整手段を用いることも可能であり、ヒップ接続部材６１における長さの調整機能は必須の機能ではない。
【００４４】
この実施の形態では、面ファスナが採用されているもので、詳しくは、図６（Ｂ）に示すように尻身頃３４の先端側の内面に面ファスナを取り付けてて一方の止着面６２とし、図６（Ａ）に示すように背身頃３３の外面に前後方向に伸びる面ファスナを取り付けて他方の止着面６３とし、一方の止着面６２を他方の止着面６３に対して前後位置を調整して着脱可能に固定するようにしたものである。なお、ヒップ接続部材６１についても、先の例の接続部材５１と同様に種々変更して実施することができる。
【００４５】
（パンツの着用方法）
このパンツ３０を着用させるには、まず、展開状態のパンツ本体３１をペットの腹側に沿わせた後、図８に示すように、左右の背身頃３３同士を接続部材５１で長さ調整しながら接続することによって、腹身頃３２と背身頃３３とをペットの胴体に固定する。次に、尻身頃３４と背身頃３３とをヒップ接続部材６１で長さ調整しながら固定する。これにより、後レッグホール４１に左右の後脚が通った状態となると共に、テールホール４２に尻尾が通った状態で着用させることができる。
【００４６】
（オムツカバー）
図８に示すように、排便の自律性が低下したペットに対しては、オムツ４４を着用させる場合がある。その際、オムツ４４を着用させた上から、パンツ３０を着用させることができるものであり、パンツ本体３１における尿漏れが生じるおそれがある領域の内面に、図６（Ｂ）に示すような撥水シート４３を配置して実施することができる。なお、撥水シート４３には、水を浸透させない合成樹脂製シートや撥水加工を施した布地を用いることができる他、抗菌性や防臭性を付加した加工を施した素材を用いることも好ましい。
【００４７】
（使用方法）
最後に、図２を参照しつつ、ベスト１０及びパンツ３０の望ましい使用方法について説明する。
図２は、身体の左側を地面に着けているペットに寝返りをうたせる方法を示すもので、図２（Ａ）に示すように、左右の持ち手１４、前持ち手３５、後持ち手３６の各持ち手を、人が膝を着いた状態で左右の手で掴んで持ち上げる。その際、急に力を入れずに、「起こすよ」などとペットに対して声を掛け、徐々に体全体を使って持ち上げる。これにより、ペットへの痛みを抑制することができると共に、人が腰などを痛めてしまうおそれも低減することができる。
【００４８】
特に、本考案にあっては、図２（Ｂ）に示すように、芯地（１６、３８）が、持ち手（１４、３５、３６）の基部（１５、３７）から、脚の前後を経て、腹側に達しているため、胴体の腹側を左右の脚の前後両側から上方に吊り上げることができるものである。また、吊り上げた際に、変形する程度の柔軟性を備えた芯地を採用することによって、単にペットを引っ張り上げるのではなく、左右の脚の前後両側から腹側にかけて力を分散させながら、包み込むように吊り上げることができるものである。なお、ペットの身体は吊り上げた状態や身体の向きによって、胴回りの状態が変化するため、これを考慮して、接続部材（５１、６１）にて長さを調整することが好ましい。
【００４９】
次に、腹が接地するように真っ直ぐ下ろす。その際、お尻側から徐々に下ろすことが好ましい。必要に応じて、図２（Ｆ）に示すように、身体の右側が地面に着くように、傾けやることも好ましい。
【００５０】
なお、図２の例は、自ら寝返りを打つことができないペットに対して使用した例であるが、介助の必要度に応じて、その使用方法は変更することができるものであり、例えば、前脚のみが不自由な場合には１０のみを使用し、後脚のみが不自由な場合には３０のみを使用するなど、種々変更して実施することができる。
【００５１】
（変更例）
本考案は種々変更して実施することができるものであり、例えば、上述の実施の形態にあっては、身頃については、背中開きのものとして実施したが、腹開きの形態や、胴体に開き部分がない挿通型の着衣として実施してもかまわない。
【符号の説明】
【００５２】
１０  ベスト
１１  ベスト本体
１２  腹身頃
１３  背身頃
１４  左右の持ち手
１５  基部
１６  芯地
１７  腹側部分
１８  背側部分
１９  前レッグホール
２０  クッション材
３０  パンツ
３１  パンツ本体
３２  腹身頃
３３  背身頃
３４  尻身頃
３５  前持ち手
３６  後持ち手
３７  基部
３８  芯地
３９  腹側部分
４０  背側部分
４１  後レッグホール
４２  テールホール
４３  撥水シート
４４  オムツ
５１  接続部材
５２  挿通テープ
５３  基部テープ
５４  バックル
６１  ヒップ接続部材
６２  止着面
６３  止着面
７１  面ファスナ
７２  ベルト
【図１】
0003208757.tif 000003
【図２】
0003208757.tif 000004
【図３】
0003208757.tif 000005
【図４】
0003208757.tif 000006
【図５】
0003208757.tif 000007
【図６】
0003208757.tif 000008
【図７】
0003208757.tif 000009
【図８】
0003208757.tif 000010